Podtech/llm-jp-corpus-v4-ja_patent huggingface dataset:
(57)【要約】      （修正有）【課題】高価な装置等を必要とすることなく、安価、安易に作成でき、認知症患者含む患者の痛みを迅速に評価する装置を提供する。【解決手段】握力測定器１の一端に、送気回路２を差し込む。送気回路の一端にエアーバッグ３を接続する。以上のような構成よりなる、掌握式疼痛評価装置である。エアーバッグを掌握させるだけで、評価できることより「握る」という言葉を理解し、実施できる認知症患者であれば対応可能である。エアーバッグを掌握するとすぐに握力測定器に力が伝わり、測定でき、掌握をやめると測定を終了できるため、次の測定までの時間が短い。【選択図】図１
2019000599.tif 000002
【特許請求の範囲】
【請求項１】
握力測定器と、この握力測定器に空気を送る送気回路と、送気回路に空気を送るエアーバッグとを有する疼痛評価装置。
【請求項２】
「疼痛時に掌握」という言葉を理解して実施できる認知症含む被測定者を対象とした請求項１記載の掌握式疼痛評価装置。
【請求項３】
掌握することで測定開始、掌握解除することで測定終了し、
【数１】
2019000599.tif 000005
という式により握力の比率を算出し、痛みの程度を迅速に測定できる手段である請求項１又は２記載の掌握式疼痛評価装置。
【発明の詳細な説明】
【技術分野】
【０００１】  本発明は、掌握することで測定できる疼痛評価装置に関するものである。
【技術背景】
【０００２】  従来、疼痛評価装置は、電極を用いたものが主流だった。
特定の電極や装置を入手するには高額であり、容易に使用することが出来なかった。
そして、測定では、次の測定までの時間を要していた。
また、認知症患者は従来の疼痛評価装置の測定方法を理解することが出来ないという理由より、対象としていなかった。
本発明は、以上のような欠点をなくすためになされたものである。
【先行技術文献】
【特許文献】
【０００３】
【特許文献１】特開２０１７−０６４２７７
【発明の概要】
【発明が解決しようとする課題】
【０００４】  高額で入手困難な従来の疼痛評価装置に対し、安価、安易に作成出来る事を目的とする。【０００５】  認知症患者にも対応出来ることを目的とする。【０００６】  迅速に測定出来ることを目的とする。
疼痛を感じた際、被測定者にエアーバッグを掌握させる事で、疼痛評価を可能とする。
【課題を解決するための手段】
【０００７】  以下、本発明を実施するための形態について説明する。
握力測定器１の一端に、送気回路２を差し込む。
送気回路２の一端にエアーバッグ３を接続する。
本発明は、以上のような構成よりなる、掌握式疼痛評価装置である。【０００８】  エアーバッグ３を掌握させるだけで、評価できることより「握る」という言葉を理解し、実施できる認知症患者であれば対応可能である。【０００９】  エアーバッグを掌握するとすぐに握力測定器に力が伝わり、測定が出来る。掌握をやめると測定を終了できるため、次の測定までの時間が短い。
【発明の効果】
【００１０】  高価な装置等を必要とすることなく、容易に構成することが出来る。
認知症患者に対しても、「握る」という言葉が理解でき、行動できれば対応可能である。
掌握することで測定、掌握解除することで測定終了することが出来るため、迅速に測定が可能であり、次の測定までの時間も短い。
【図面の簡単な説明】
【００１１】
【図１】  本発明の正面図である。
【発明を実施するための形態】
【００１２】  以下、本発明を実施するための形態について説明する。
握力測定器１の一端に、送気回路２を差し込む。
送気回路２の一端にエアーバッグ３を接続する。
本発明は、以上のような構造である。
被測定者４にエアーバッグ３を掌握させることで、握力が送気回路２を通して、握力測定器１に伝わる。
【実施例】
【００１３】  これを使用するときは、被測定者４に手術前の安静時に手術体位において、最大力でエアーバッグ３を掌握させる。
手術中に、痛みを感じた際も、同一体位で、被測定者４にエアーバッグ３を掌握させる。
数１とＮｕｍｅｒｉｃａｌ  Ｒａｔｉｎｇ  Ｓｃａｌｅ（ＮＲＳ）と呼ばれる主観的疼痛スケールは強い相関が認められた。
そのため、数１を求めれば、疼痛の程度が分かる。
【数１】
2019000599.tif 000003
【表１】
2019000599.tif 000004
【符号の説明】
【００１４】  １  握力測定器
２  送気回路
３  エアーバッグ
４  被測定者
【図１】
2019000599.tif 000006
(57)【要約】      （修正有）【課題】従来、台風のような強風で多数の消防車で取り囲みながら消すことが困難である原因は、燃焼点と放水の着点が強風のためそれぞれ揺れ動く為消火が出来なかっが、泥土をもって燃焼面をコーチングして消火を確実に実現して強風下の火災に有力な手段を提供する。【解決手段】消火水の比重を高める為に、泥土を混入して、水の比重を高め着下点の揺らぎを抑えて消火を確実にする。【選択図】なし【特許請求の範囲】
【請求項１】
消火用水に泥土を混入する
消火後燃焼面が泥土でコーチングされて延焼を防ぐ。
【発明の詳細な説明】
【技術分野】
【０００１】此の発明は、この分野において科学的に関心を向けられる事は無かった。
糸魚川の大火災を見て、日本に消えない火災があってはならないと発奮考案した。
【背景技術】
【０００２】従来、この分野の火災は、糸魚川の様な悪条件が重なることはなっかった。
即ち、台風のような強風で多数の消防車で取り囲みながら消すことが困難である原因は燃焼点と放水の着点が強風のためそれぞれ揺れ動く為消火が出来なかった。
【先行技術文献】
【特許技術文献】
【０００３】類似の特許文献は見当たらない。
【発明の概要】
【発明が解決しようとする課題】
【０００４】従来は次の様な欠点があった。
放水の先が、つまり、着水点が揺らぐとゆうことは水の比重が軽すぎる事である。
【課題を解決する為の手段】
【０００５】消火水の比重を高める為に、泥土を混ん入して、水の比重を高め着下点の揺らぎを抑えて消火を確実にする。
【発明の効果】
【０００６】強風下でも消火を確実にすることを確信できるため自信をもって消火作業をすることが出来る。
(57)【要約】      （修正有）【課題】靴の踵を押さえるストッパーを設けた靴脱ぎ補助具を提供する。【解決手段】靴の踵を押さえ目的とするストッパー２を框、巾木等に木ネジ５等で固定設け、体を支える杖状部材を少なくともストツパーの端に着脱仕様で設けたことを特徴とする靴脱ぎ補助具。【選択図】図６
2019000597.tif 000002
【特許請求の範囲】
【請求項１】
薄く堅い素材からなる安定ベースを設け、靴の踵の押さえを目的とするストッパーを安定ベース後方巾方向に固定設け、体を支える杖状部材を少なくとも安定ベース端に着脱仕様で設けたことを特徴とする靴脱ぎ補助具。
【請求項２】
靴の踵を押さえ目的とするストッパーを框、巾木等に木ネジ等で固定設け、体を支える杖状部材を少なくともストツパーの端に着脱仕様で設けたことを特徴とする靴脱ぎ補助具。
【発明の詳細な説明】
【技術分野】
【０００１】本発明は、靴の踵を押さえるストッパーによる靴脱ぎに関する物である。
【背景技術】
【０００２】従来、高齢者が靴を脱ぐとき靴べら式、踵と部材との接触式あった。
【発明の概要】
【発明が解決しようとする課題】
【０００３】そのため、次のような問題点があった。
（イ）靴を脱ぐとき靴ベラをその都度使用、又踵を強く部材に押し当てる動作は体が不安定になり高齢者は難儀で面倒であった。
本発明は、これらの問題点を解決するためになされたものである。
【課題を解決するための手段】
【０００４】第一の発明は、薄く堅い素材からなる安定ベースを設け、靴の踵の押さえを目的とするストッパーを安定ベース後方巾方向に固定設け、体を支える杖状部材を少なくとも安定ベース端に着脱仕様で設けた。
以上を特徴とする靴脱ぎ補助具である。
第二の発明は、靴の踵を押さえ目的とするストッパーを框、巾木等に木ネジ等で固定設け、体を支える杖状部材を少なくともストツパーの端に着脱仕様で設けた。
以上を特徴とする靴脱ぎ補助具である。
【発明の効果】
【０００５】靴の踵をストッパーに接触させるだけで図５、図６に示すように靴の踵が押さえられ靴を脱ぐことができる。従来のようにその都度靴ベラの使用もなく、踵をストッパー部にバックさせるだけで踵が確実に押さえられ装着した杖で体も支えられる。ベース式は邪魔になる突起部材もなく置くだけで使用できる。
【図面の簡単な説明】
【０００６】
【図１】本発明の安定ベース式の平面図である。
【図２】本発明の安定ベース式の杖装着筒に杖を差し込み装着した例を示す側面図である。
【図３】本発明の固定式ストッパーの平面図である。
【図４】本発明の固定式ストッパーの杖装着筒に杖を差し込み装着した例を示す側面図である。
【図５】本発明の安定ベースのストッパーが靴の踵を押さえている使用例図である。
【図６】木ネジ等で固定した本発明のストッパーが靴の踵を押さえている使用例図である。
【発明を実施するための形態】
【０００７】以下、本発明の実施の形態について説明する。
図１では、安定ベースにストッパーを設けた。図１、図２、図５に記載する本発明は以上のような構成である。
これを使用するときは、靴を安定ベースに置き靴を後ろに少し移動させると靴の踵が図５に示すように押さえられ靴を脱ぐことができる。使いやすい場所に置くことができ、装着した杖で安心して脱ぐ動作ができる。
【０００８】図３では、ストッパーを巾木等に木ネジ等で固定設けた。図３、図４、図６に記載する本発明は以上のような構成である。
これを使用するときは、靴の踵を図６に示すようにストッパーに接触させると靴の踵が押さえられ靴を脱ぐことができる。
杖も左右使いやすい位置に装着でき安心して脱ぐ動作ができる。
【符号の説明】
【０００９】１  安定ベース
２  ストッパー
３  杖装着筒
４  木ネジ穴
５  木ネジ
６  杖
【図１】
2019000597.tif 000003
【図２】
2019000597.tif 000004
【図３】
2019000597.tif 000005
【図４】
2019000597.tif 000006
【図５】
2019000597.tif 000007
【図６】
2019000597.tif 000008
(57)【要約】【課題】従来のコイントレイはソフト剣山を用いて、紙幣や硬貨等を受け取りやすくしていた。しかしそのソフト剣山は、人の爪の汚れや細菌等が付着しているので不衛生であった。【解決手段】コイントレイ本体と、その内側底面（１）に、企業宣伝広告の印刷されたシール（２）と、企業宣伝広告の印刷されたシール（２）の上に貼り付けた凹凸のある抗菌ソフトシートを備えたことを特徴とする取り替え抗菌シート付コイントレイ。【選択図】図１
2019021282.tif 000002
【特許請求の範囲】
【請求項１】
コイントレイ本体と、その内側底面（１）に、企業宣伝広告の印刷されたシール（２）と、企業宣伝広告の印刷されたシール（２）の上に貼り付けた凹凸のある抗菌ソフトシートを備えたことを特徴とする取り替え抗菌シート付コイントレイ。
【発明の詳細な説明】
【技術分野】
【０００１】    本発明は、紙幣や硬貨等を受け取りやすくしているコイントレイを、従来の固定のソ    フト剣山ではなく、すぐにその場で簡単に清潔を保つために抗菌ソフトシートを取り    替えることが出来る、取り替え抗菌シート付きコイントレイに関するものである。
【背景技術】
【０００２】    従来のコイントレイは、ソフト剣山を用いて、紙幣や硬貨等を受け取りやすくしてい    た。しかしそのソフト剣山には、人の爪の汚れや細菌等が付着し、長い期間使用して    いると黒ずんだ汚れが目立ち、違和感を覚えることがあった。そのようなきれいに保    たれていないコイントレイを、飲食等を取り扱う企業・店舗にとても多かった。
【発明の概要】
【発明が解決しようとする課題】
【０００４】    従来のコイントレイは次のような欠点があった。
（イ）    コイントレイはソフト剣山を用いて、紙幣や硬貨等を受け取りやすくして              いた。しかしそのソフト剣山は、人の爪の汚れや細菌等が付着している。
（ロ）    長い期間使用していると、ソフト剣山が擦り切れていたり、ソフト剣山に              こびり付いた黒ずんだ汚れが目立っていた。
（ハ）    汚れ等が付着した場合、コイントレイ本体を洗い流し、軽い汚れを落とす              ことが出来ても、ソフト剣山にこびり付いた汚れや細菌等を清潔に洗い流              すことが困難であった。
（ニ）    ソフト剣山にこびり付いた汚れや細菌等を清潔に洗い流すための手間が、              かかっていた。
（ホ）    そのため不衛生なまま、使用されていることが多かった。
本発明は、以上のような欠点をなくすためになされたものである。
【課題を解決する手段】
【０００５】コイントレイ本体と、その内側底面（１）に、企業宣伝広告の印刷されたシール（２）と、企業宣伝広告の印刷されたシール（２）の上に貼り付けた凹凸のある抗菌ソフトシートを備えたことを特徴とする取り替え抗菌シート付コイントレイである。
【発明の効果】
【０００６】    （イ）    コイントレイを定期的にチェックし、常に清潔を保つことができる。
（ロ）    汚れ等が目立った時・トレイの使用頻度により、清潔を保つために、抗菌              ソフトシートを取り替えできる。
（ハ）    抗菌ソフトシートを取り外すことが出来て、新しい抗菌ソフトシートを貼              り替えて、簡単に取り替えできる。
（ニ）    取り替えすることにより、清潔に保つことができる。
（ホ）    常に清潔に保つことで、企業の清潔感のあるイメージアップにも繋がって              いくことができる。
（ヘ）    企業宣伝広告の印刷されたシールは、企業の社名やロゴ・メッセージ等を              宣伝・広告として印刷することの出来る仕様になっており、相乗効果のイ              メージアップに繋がっていくことができる。
【図面の簡単な説明】
【０００７】
【図１】本発明の取り替え抗菌シート付きコイントレイの構成（凹凸のある抗菌ソフトシートを貼った状態）である。
【図２】本発明の取り替え抗菌シート付きコイントレイの構成（凹凸のある抗菌ソフトシートを剥がしつつある状態）である。
【発明を実施するための形態】
【０００８】    以下、本発明の取り替え抗菌シート付きコイントレイの構成について説明する。
図１は、本発明の取り替え抗菌シート付きコイントレイの構成で凹凸のある抗菌ソフトシートを貼った状態、図２は凹凸のある抗菌ソフトシートを剥がしつつある状態である。
取り替え抗菌シート付きコイントレイ（１）は、コイントレイ本体（４）と、企業宣伝広告の印刷されたシール（２）と、凹凸のある抗菌ソフトシート（３）からなる。
凹凸のある抗菌ソフトシート（３）は、表面に凹凸がある半透明状のシートである。
企業宣伝広告の印刷されたシール（２）は、企業広告のための図形や文字を描いたものである。
【０００９】    コイントレイ本体（４）の内側底面（１）に、企業宣伝広告の印刷されたシール（２）を貼り、その上に紙幣や硬貨等を受け取りやすくしている凹凸のある抗菌ソフトシート    （３）を張り付ける。汚れ等が目立った時、コイントレイの使用頻度により、清潔を保つために、凹凸のある抗菌ソフトシートを取り外す。
新しい凹凸のある菌ソフトシート（４）を貼り替えて、簡単に清潔を保つことが出来る。凹凸のある抗菌ソフトシートは使い捨てであるため、常に清潔を保つことができる。
【符号の説明】
【００１０】  １  コイントレイ
２  企業宣伝広告の印字されたシール
３  凹凸のある抗菌ソフトシート
４  コイントレイ本体
【図１】
2019021282.tif 000003
【図２】
2019021282.tif 000004
(57)【要約】      （修正有）【課題】ＬＥＤランプを位相制御調光器でスムーズな調光ができ、商用周波トランスと異なり小型軽量の電源装置を提供する。【解決手段】交流を直流に変換する素子及び定電力回路を内蔵したＬＥＤランプ４を電子トランス３で点灯させ、位相制御調光器２で調光制御を可能にするため、電子トランスの出力トランス波形を商用電源と同じサイクルの脈流波形に変換し、その波形を全波整流し、重畳している高周波成分をフィルタで除去し、小型軽量化を図った。【選択図】図１
2019029327.tif 000002
【特許請求の範囲】
【請求項１】
全波整流素子、定電力回路を内蔵したＬＥＤランプを位相制御により調光できる電子トランスを備え、前記電子トランスは出力電圧が全波整流波形で、高周波成分を除去されてなるＬＥＤランプ制御電源装置。
【発明の詳細な説明】
【技術分野】
【０００１】  本発明は、直流変換素子及び定電力回路を内蔵したＬＥＤランプを調光できるＬＥＤ制御電源装置に関するものである。
【背景技術】
【０００２】  ハロゲンランプに替わってＬＥＤを光源とするランプが使用されるようになってきたが、ＬＥＤランプの内部に交流を直流に変換する素子及び定電力回路を内蔵したものがある。【０００３】  このＬＥＤランプは通常交流電圧を印加して使用できるタイプのため、このランプに適した出力電圧に変換する商用トランスがあれば点灯させることができ、位相制御による調光も可能である。【０００４】  商用トランスを使用すると、大型で、重量が重くなり、小型軽量の時流に反することになる。【０００５】
【発明の開示】
【発明が解決しようとする課題】
【０００６】  前記問題点を解決するためには、商用トランスを電子化する必要があるが、ＬＥＤランプに直流変換素子及び定電力回路が内蔵されているため、一般の電子トランス、直流電源装置では簡単に調光を行うことができない。
【課題を解決するための手段】
【０００７】  交流を直流に変換する素子及び定電力回路を内蔵したＬＥＤランプを電子トランスで点灯させ、位相制調光器で調光制御を可能にするため、電子トランス内部では商用電源を整流した脈流波形に高周波が重畳した出力トランス波形を全波整流し、重畳している高周波成分をフィルタで除去した。
【発明の効果】
【０００８】  以上のように、本発明によれば電子トランスの出力波形を商用周波波形とほぼ同一にすることで、直流変換素子及び定電力回路を内蔵したＬＥＤランプを位相制御調光器で調光できる。商用周波トランスと異なり大幅に小型軽量化を達成した。
【発明を実施するための最良の形態】
【０００９】  以下、図面に基づき本発明の実施の形態を説明する。【００１０】  図１は、本発明の実施例を示す電源装置のブロック図である。【００１１】  本発明のＬＥＤ制御電源装置は商用電源１、位相制御調光器２、電子トランス３及び直流変換素子、定電力回路を内蔵したＬＥＤランプ４から構成される。電子トランス３は全波整流回路３１、発振回路３２、発振トランス３３、全波整流回路３４および高周波除去フィルタ３５からなる。交流電源１が印加されるとこの電圧は全波整流回路で脈流の直流電圧に変換され、発振回路３２で高周波に変換される。この高周波電圧は発振トランスでＬＥＤランプ４を点灯維持できる電圧に変圧され、全波整流回路３４で脈流電圧に変換される。この脈流電圧は高周波分が含まれているが、高周波成分は高周波除去フィルタ３５により除かれて直流変換素子及び定電力回路を内蔵したＬＥＤランプ４に印加され、ＬＥＤランプ４は点灯する。【００１２】  次に位相制御調光器２で電源電圧の導通角を変化していくとその導通角はそのまま直流変換素子及び定電力回路を内蔵したＬＥＤランプ４の導通角として印加される。この結果、位相制御調光器２の導通角に応じて出力の導通角も変化するためスムーズな調光ができ、小型軽量のＬＥＤ制御電源を提供できる。
【図面の簡単な説明】
【００１３】
【図１】本発明の実施例を示すＬＥＤ制御電源装置のブロック図。
【符号の説明】
【００１４】１  商用電源
２  位相制御調光器
３  電子トランス
３１  全波整流回路
３２  発振回路
３３  発振トランス
３４  全波整流回路
３５  高周波除去フィルタ
４  直流変換素子及び定電力回路を内蔵したＬＥＤランプ
【図１】
2019029327.tif 000003
(57)【要約】【課題】本発明は靴のサイズが大きい、もしくはデザインが浅いゆえに、抜けやすい現象を解消する。【解決手段】本発明は人体に使用可能な両面テープを靴の底と踵部に貼り付けることで、足と靴を直接粘着し、靴が抜けづらくなる。サイズの大きい靴だけでなく、デザイン上、つま先付近か踵部が浅い靴にも効果がある。【選択図】図２
2019115642.tif 000002
【特許請求の範囲】
【請求項１】
靴の内部であって、踵の底部と踵の後側に複数の両面接着剤で直接貼付する靴抜け防止グッズ。
【請求項２】
前記両面接着剤は、両面テープであることを特徴とする請求項１記載の靴抜け防止グッズ。
【請求項３】
前記両面接着剤は、少なくとも一つは踵の底部に、他は踵の後側に貼り付けることを特徴とする請求項１〜２記載の靴抜け防止グッズ。
【請求項４】
前記複数の両面接着剤は、ヒールの軸に対し、左右対称に貼付することを特徴とする請求項１〜３記載の靴抜け防止グッズ。
【請求項５】
前記複数の両面接着剤は、ヒールの軸に対し、直角に貼付することを特徴とする請求項１〜３記載の靴抜け防止グッズ。
【発明の詳細な説明】
【技術分野】
【０００１】  本発明は、足と靴の間に人体に使用可能な両面テープを貼付することで、靴抜けを防止するものである。
【背景技術】
【０００２】  靴のサイズが少し大きいことや、靴のデザイン等により、つま先付近と踵部が浅いことから、靴が抜けやすいことがしばしばあった。
【先行技術文献】
【特許文献】
【０００３】
【特許文献１】特開２０１５−２１８２６３  号公報
【特許文献２】特開２０１０−２７９４４７  号公報
【発明の概要】
【発明が解決しようとする課題】
【０００４】  現在市販されている靴抜け防止グッズは、靴に貼り付ける面にのみ粘着性があり、且つシリコン素材や布素材を多用されている。足面と接触している側は強い粘着性がなく、シリコンと布本来の摩擦力を利用して抜け防止する発想で作られている。現状は、それらの摩擦力が不足し、靴が抜けることを完全に防止することができなかった。また最近、流行のパンプスやハイヒール等は、デザイン的につま先付近や踵部が浅いものが多い、そのため、サイズ的に合ったものを選んでも、抜けてしまうことがあった。現在市販の靴抜け防止グッズは、クッション性のあるものが多く、ジャストサイズの浅い靴に使用した場合は、厚みがあっても、踵部に接着されてないので、動くと靴に接触している面がずれてしまい、容易に靴が抜けてしまうという問題点は解決できなかった。
【課題を解決するための手段】
【０００５】  本発明は、素足で履く靴の内部と、足裏後方及び踵を両面接着剤で直接貼付する靴抜け防止グッズであり、両面接着剤は、人体に使用可能な両面テープを使用する。少なくとも踵の底部に一枚、踵の後側に複数枚を貼付することで、足と靴を強固に直接接着する。
【発明の効果】
【０００６】  足と靴が十分に貼着することで、歩行時には抜けづらくなる。そして踵底部の一枚のみ使用しても、ある程度の効果があるが、踵の後側の複数枚を合わせて使用したほうが、より安定的に良好に固定することができる。
【図面の簡単な説明】
【０００７】
【図１】両面テープ各パーツの平面図
【図２】ハイヒールを例に、実際張り付ける時の位置を示す図面
【発明を実施するための形態】
【０００８】  本発明となる商品は、計三つのパーツがある。図１において、第１の両面テープは、踵の底部に、第２の両面テープと第３の両面テープは、それぞれ踵の後の左側と右側に貼り付ける。両面テープであるため、先に第１、第２、第３の両面テープを靴２０に固定してから、人体に接触する面の保護フィルムを剥がし、最後に素足を靴２０に挿入する。足を抜く際は、片手で靴の踵部の外側３０を持ち、後からゆっくり靴を引っ張って、剥離していく。第１、第２、第３の両面テープが足か靴側に残る場合は、指や爪で剥がす。尚、粘着性が弱くなるため、一度使用済みの両面テープは繰り返し使用することはできるだけ避ける。
【実施例】
【０００９】  本発明は、人体に使用可能な両面テープ三枚を用い、踵の底部に一枚、踵の後側に二枚を貼り付ける。両面テープは、その他下敷きやマジックテープを介せずに、足と靴の間に直接貼り付けることを特徴としている。両面テープの位置を固定したうえ、最後に素足を靴に挿入する。体重を加えることで、足と靴をしっかり貼り付けることができる。両面テープは、文房具用品のものより強力で、且つ足と靴にダメージを与えず、キレイに剥がれる特殊なものを使用する。【００１０】  発明者と友人３人が両面テープの効果を検証したところ、現在市販の靴抜け防止グッズは、踵の後側に貼るものは通常一つのパーツである。靴の弯曲のラインに沿ってキレイに貼ることが難しく、斜めになることやしわ寄せしてしまうことがしばしば起こる。本発明は、踵の後側には左右分けた二つのパーツとなっているため、より靴踵部の弯曲に沿って、貼りやすい効果がある。【００１１】  靴抜け防止効果については、踵の底部と踵の後側にある三つのパーツは、それぞれの角度から足と靴を完全に粘着することで、靴が抜けなくなり、非常に効果があるとみられた。両面テープの本体が薄いため、靴のサイズが丁度いいが、デザイン上、足の甲と踵が浅いパンプスやハイヒールには特に効果的である。サイズ感が変わらない上、抜けなくなる点においては、画期的とも言える。【００１２】  また、従来の歩きより、疲れにくい効果もあった。抜けやすい靴を着用する場合は、靴を抜けないように、足指が不意に左右への突っ張るよう力を加えていた。本発明を使用することによって、突っ張る力が要らないなり、足の各部位は本来の歩く時の役割に集中し、本発明を使用する前より疲れにくく、快適に歩くことができる。
【産業上の利用可能性】
【００１３】  抜けない点と足が疲れにくい点を利用し、陸上競技や登山のような長時間靴を履くスポーツ選手の靴に活用する可能性がある。また、高所での作業など、靴が絶対抜けてはいけない場合は、本発明を活用すると、安全性の向上に繋がる可能性がある。各種中敷き、インソール、クッションパッド、ゲルパッド等にも両面粘着性を持たせることにより、靴のサイズの調整をしながら、抜けない機能を持たせることが可能になる。
【符号の説明】
【００１４】１  踵底部に貼り付ける第１の両面テープ。
２  踵の左側に貼り付ける第２の両面テープ
３  踵の右側に貼り付ける第３の両面テープ
２０  正面から見たハイヒールの全体図
２１  靴のインソール部
３０  後ろから見たハイヒールの全体図
３１  ハイヒール踵の後方部
４０  靴の横から見た全体図
【図１】
2019115642.tif 000003
【図２】
2019115642.tif 000004
(57)【要約】【課題】既存のレンチは扁平な形状かつ金属製である為、グリップしづらい。本発明は、既存の統一的に企画されて使用されている対辺６．３５ｍｍの既存のビットホルダー等に差替えて利用が可能となる為、扁平な既存のレンチと比べグリップ力が上り作業効率が高まる。また、既存の統一的に企画されて使用されている対辺６．３５ｍｍの既存ビットホルダー等は収納・持ち運びに便利なツールが多く存在する為、収納・持ち運びも効率的に行える工具である。【解決手段】レンチの持ち手部を、既存の統一的に企画されて使用されている対辺６．３５ｍｍとすることで、既存のビットホルダー等に差替えて利用することが可能となる。【選択図】図１
2019115972.tif 000002
【特許請求の範囲】
【請求項１】
既存の統一的に企画されて使用されているの対辺６．３５ｍｍの既存ビットホルダー等に挿入して利用する、六角軸工具本体にラチェット機構を備えた工具。
【発明の詳細な説明】
【技術分野】
【０００１】本発明は、既存の六角軸差替え式ビットホルダー及びドライバーハンドル（以下、既存ビットホルダー等という）に着脱可能な小型工具に関する。
【背景技術】
【０００２】六角軸工具の分野において、ソケット型レンチを流用させて使用することがあるが、作用点に対して力点は垂直線上にあり、固定された力点の回転運動を利用する為、回転力は小さく、また狭所には向かない。
本発明は、作用点に対して直角にアプローチが可能となり、作用点を支点として力点を円運動させることで小さな力で大きな力を発生させる。
作業時、複数の工具を作業場所へ持ち運ぶが、差替え式工具の１つとして本発明を利用することで、持ち運びの軽装化が実現可能となる。
【発明の概要】
【発明が解決しようとする課題】
【０００３】既存の差替え式六角軸工具の利便性及び操作性・機能性を向上させより多面的に作業を行えるような六角軸ラチェットレンチを提供する。
【課題を解決するための手段】
【０００４】既存の統一的に企画されて使用されているの対辺６．３５ｍｍの既存ビットホルダー等は、対応可能な種々のツールにより多面的に活用されているが、本発明によって新たな用途での活用が可能となる。
【発明の効果】
【０００５】本発明により、既存のビットホルダー等の使用用途が多面化することで、さらに利用しやすいものとなる相乗効果が生まれる。
【図面の簡単な説明】
【０００６】
【図１】本発明の姿図
【図２】本発明の分解図
【図３】本発明を実施するための形態図
【発明を実施するための形態】
【０００７】（イ）図３に記す（１）を既存のビットホルダー等の凹部（６）に挿入し使用される。
（ロ）図３に記す既存のビットホルダー等のグリップ（７）を握り（８）の六角ボルトおよび六角ナットにアプローチする。
（ハ）一方向のラチェット機構となっているため、（８）を軸に本発明を数度空転させた後、逆回転させることで六角軸および六角ナットを締める・緩めるが可能となる。
【符号の説明】
【０００８】（１）六角軸ビット  （２）六角軸  （３）ラチェット環  （４）外環ギア  （５ａ）バネ  （５ｂ）ボール  （５ｃ）ギアブロック  （６）既存のビットホルダー等のビット腔  （７）既存のビットホルダー等のグリップ部  （８）六角ボルト及びナット
【図１】
2019115972.tif 000003
【図２】
2019115972.tif 000004
【図３】
2019115972.tif 000005
(57)【要約】【課題】  屏風の色彩の異なる表と裏を簡単に変えることが出来き、随時写真又は絵画を入れ替え、屏風本体色又は色彩を変える事ができる両面屏風を提供する。【解決手段】  屏風一枚ごと及び表側裏側にマグネット３を取り付け、その両面に色彩の異なる生地４又は紙を張り、背景色及び色彩の異なる屏風とし、屏風一枚ごとの接続は、屏風の側面にもマグネット８でつなげ、写真７、絵画、文字又は家系図等をパネルボード６に取り付け、パネルボード６一枚又は数枚を屏風一枚ごとの表面に、取り付け取り外しが出来る様にパネルボード６側には金属板５を取り付け、随時屏風の表裏、パネルの交換を簡単に出来る様にする。【選択図】図１
2019115748.tif 000002
【特許請求の範囲】
【請求項１】
屏風の両面（表側と裏側）に色彩及び模様の異なる生地又は紙を屏風全体に貼り、表側又は裏側のどちらか一方に、写真パネル、絵画パネル、習字パネル、文字パネル又は家系図パネルなどの好みのパネルを屏風面に取り付ける事の出来る両面屏風型で、壁の面に取り付ける飾り屏風で、屏風一枚ごと独立して、一枚ごとの接続は、屏風の側面に取り付けたマグネッツトで接続して屏風の形にし、お祭り又は記念日ごとに屏風の表面と裏面をひっくり返して使う両面屏風型で、屏風本体の表面と裏面にマグネッツトを取り付け、パネルボード側にはマグネッツトにくっつく金属板を取り付け、パネルボード一枚又は数枚を屏風一枚ごとに取り付けるパネルボード付き飾り両面屏風。
【発明の詳細な説明】
【技術分野】
【０００１】  本発明は、屏風面の表面と裏面に色彩の異なる生地又は紙を張り付け、表と裏をひっくり返し、色彩の異なる屏風面とし、その面上に写真、絵画、習字、文字又は家系図のパネルボードを取り付け、パネルボード面と屏風に磁石又はマジックテープを取り付け、パネルボードの交換が容易な屏風にし、屏風一枚と一枚の接続する側面にマグネッツトを取り付け、一枚ごとの屏風で、表裏を簡単に入れ替える事ができる、壁に掛ける飾り両面屏風である。
【背景技術】
【０００２】一般的な屏風は、床の上に置き使用されますが、本体の屏風は壁に掛け、屏風の表裏の両面を利用する。【０００３】屏風を一面、一面の切り離れた面にし、その表面、裏面を色彩の違う面にし、写真又は絵画付きパネルボードを取り付け、随時交換できるようにする。
【発明の概要】
【発明が解決しようとする課題】
【０００４】屏風一面、一面の接続をマグネットでつなげ、屏風の両面を使用し、表裏の色彩の異なる面にし、写真又は絵画をパネルボードに貼り付け、パネルボードの裏面に金属板又はマジックテープを取り付け、屏風本体の表裏側にマグネット又はマジックテープを取り付け、随時パネルボードの取り換えを可能にする。
【課題を解決する為の手段】
【０００５】屏風の側面にマグネットを取り付け、随時表面と裏面を変える様にする。
【発明の効果】
【０００６】本発明の効果は、撮って来た写真又は描いた絵画をパネルボードに張り、それを屏風側に取り付け、パネルボードが屏風本体体色に合う様な色彩の面にする。
【図面の簡単な説明】
【０００７】
【図１】  図面１は、両面屏風一枚の詳細図
【図２】  図面２は、屏風一枚の側面の詳細図
【図３】  図面３は、屏風一枚のフレームにマグネッツト取り付け図
【図４】  図面４は、表面のパネル付き平面全体図
【図５】  図面５は、裏面のパネル付き平面全体図
【図６】  図面６は、立体接続のパネル付き全体図
【発明を実施するための形態】
【０００８】図１は、屏風一枚の詳細図で屏風のフレームの表裏にマグネッツト取り付け固定し、それに表装を張り、パネルボードの裏面にマグネットにくっ付く金属板を取り付け、パネルボードの表面に写真又は絵画の取り付け図。
【０００９】図２は、屏風一枚の側面詳細図で、図３は、屏風一枚の木枠にマグネット取り付けた詳細図。
【００１０】図４は、屏風表面にパネルを取り付けた平面図で、図５は、屏風裏面にパネルを取り付けた平面図で、図６は、屏風を壁に立体面に取り付けた図。
【産業上の利用可能性】
【００１１】会社、学校、店舗等々の社語、訓示、看板、写真、絵画等々をパネルに載せた屏風を立体的に又は平面的に壁面に掛ける事により、ある強い印象を与える両面屏風。
【符号の説明】
【００１２】１  屏風枠
２  本体ボード
３  マグネット（表面と裏面）
４  屏風面の生地
５  金属板
６  パネルボード
７  展示物（写真、絵画、習字又は家系図）
８  マグネット（側面）
【図１】
2019115748.tif 000003
【図２】
2019115748.tif 000004
【図３】
2019115748.tif 000005
【図４】
2019115748.tif 000006
【図５】
2019115748.tif 000007
【図６】
2019115748.tif 000008
(57)【要約】【目的】  従来のねじ整列皿を用いてねじを整列させる作業は、ねじ整列皿を手で揺らして、孔部にねじを嵌め込むという工程で行われる。ところが上述の通り従来のねじ整列皿は、ねじの頭部が下方を向いていると孔部に引っ掛かり、孔部内にねじが嵌まり込まない場合がある。本考案はかかる不都合を解消すること、すなわち、ねじの頭部が下を向いているような場合でも孔部内にねじが嵌まり込み、簡単確実にねじの整列が可能となるねじ整列器を提供することを目的とする。【構成】請求項１に記載の考案は、板材の外周部において、上方及び下方に枠体を立設し、板材上下方向に直径がねじの頭部直径より大きいに貫通孔を設け、枠体に嵌まり込む蓋材を設けて構成した。【選択図】  図１
2019172411.tif 000002
【特許請求の範囲】
【請求項１】
板材の外周部において、上方及び下方に枠体を立設したこと、
板材上下方向に、直径がねじの頭部直径より大きいに貫通孔を設けたこと、
枠体に嵌まり込む蓋材を設けたこと、
を特徴とするねじ整列器。
【発明の詳細な説明】
【技術分野】
【０００１】
本発明はねじを整列させ、ドライバーなどで容易にねじを掴みやすくするための、ねじ整列器に関する。
【背景技術】
【０００２】
例えば、電動ドライバーでネジを多数締め付けていくような場合には、ネジを効率的に取り出すことができるようにするため、図５に示すようなネジ整列皿１が使用されている
このネジ整列皿１は、盤面３にねじ４を収容する孔部２が縦横各方向に複数個設けられており、孔部２にネジ４の軸部４aを挿入させて収容するようになっている。そのため、このねじ整列皿１では、孔部２の直径はネジ４の頭部４ｂが入り込まないよう、ネジの頭部４ｂより小さく形成されている。
【０００３】
図６は図５におけるＢ−Ｂ線断面図である。ねじ整理皿１の多数の孔部２・・にはネジ４の軸部４aが入り易くするため、孔部２の周縁には傾斜面２ａが形成されている。
【０００４】
特許文献１には、ねじを孔部に収容しやすくするため、ねじ整列皿を揺動可能に構成したねじ整列器が開示されている。
【先行技術文献】
【特許文献】
【０００５】
【特許文献１】特開２００２−１５４６３５
【発明の開示】
【発明が解決しようとする課題】
【０００６】
従来のねじ整列皿を用いてねじを整列させる作業は、図５で示される盤面３上に複数のねじをばらまき、ねじ整列皿１を手で揺らして、孔部２にねじ４を嵌め込むという工程で行われる。ところが上述の通り従来のねじ整列皿１は、孔部２aの直径がねじの頭部４ｂより小さく形成されている。それゆえ、図６に示されるように整列作業時において、頭部４ｂが下方を向いていると孔部２aに引っ掛かり、孔部２内にねじ４が嵌まり込まない場合がある。尚、図６においてＵは上方を、Ｄは下方を示すものである。
【０００７】
本発明はかかる不都合を解消すること、すなわち、ねじの頭部が下を向いているような場合でも孔部内にねじが嵌まり込み、簡単確実にねじの整列が可能となるねじ整列器を提供することを目的とする。
【課題を解決するための手段】
【０００８】
上記課題を解決する本発明の構成は、以下の通りである。
【０００９】
（１）  請求項１に記載の発明は、板材の外周部において、上方及び下方に枠体を立設し、板材上下方向に直径がねじの頭部直径より大きいに貫通孔を設け、枠体に嵌まり込む蓋材を設けて構成した。
【発明の効果】
【００１０】
上記のように構成される本発明が、如何に作用して課題を解決するかを図面を参照しながら概説する。なお、各図においてＵは上方を、Ｄは下方を示すものである。
【００１１】
図３に示されるように、本発明に係るねじ整列器１０には、板材１１の上下方向に貫通孔１２が複数設けられている。そして、この貫通孔１２の直径Ｔ２は、ねじ４の頭部４ｂの直径Ｔ１よりも大きく形成されている。それゆえ、頭部４ｂが下を向いているような場合でも頭部４ｂが貫通孔１２の入り口に引っ掛かることがなく、図４に示されるように頭部４ｂが上を向いていても、或いは下を向いていても、もれなく貫通孔１２に嵌まり込むのである。この際、ねじ整列器１０においては蓋材１４を嵌めることが可能であるので、貫通孔１２に嵌まり込んだねじ４は、下方に抜け落ちることがないものである。
【００１２】
ねじを整列させ、次いでドライバ等でねじを取り出していく工程は以下の通りである。まず、下方にのみ蓋材を１４を嵌め込んだ状態で、板材１１上に整列対象のねじをばら撒く。次いでねじ整列器１０を揺らして、ねじ４を貫通孔１２に嵌め込み、図４に示される状態に至る。この状態で頭部４ｂが上を向いたねじ４を、ドライバーで掴み取る。当該頭部４ｂが上を向いたねじをすべて取り出したのち、板材１１の上方に蓋材１４を被せる。この段階では頭部４ｂが下を向いたねじは、貫通孔１２内に残っている。かかる状態でねじ整列器１０を上下方向に反転させる。次いで上方に位置する蓋材１４をとると、上記貫通孔１２内に残ったねじ４は頭部４ｂが上を向くことになり、これら頭部４ｂが上を向いたねじをドライバーで掴み取るものである。
【図面の簡単な説明】
【００１３】
【図１】本発明の構成説明図
【図２】パレット正面図
【図３】Ａ−Ａ線断面図
【図４】本発明の説明断面図
【図５】従来例の斜視図
【図６】Ｂ−Ｂ線断面図
【発明を実施するための形態】
【００１４】
以下、好ましい本発明の構成要素の実施形態につき、図面を参照しながら概説する。なお、本発明構成要素の実施形態は、下記の実施形態に何ら限定されることはなく、本発明の技術的範囲に属する限り、種々の形態を採りうる。
【００１５】
本発明においては、図１や図３に示すように、板材１１の外周部において、上方及び下方に枠体１３を立設することで、パレット１５を形成してある。
【００１６】
図２はこのパレット１５の正面図を、図３はそのＡ−Ａ断面図を示している。
【００１７】
パレット１５は、上述の通り板材１１と、その上面及び下面に枠状に突出して形成された枠体１３とを有している。板材１１には複数の貫通孔１２・・が形成されている。当図では、等間隔で６×８の合計４８個の貫通孔１２が形成された例を示している。
【００１８】
この貫通孔１２は、整列すべきねじが挿入（嵌入）される穴である。また、この貫通孔１２は、断面を図３に示すように、両端入り口側に面取り１２ａが設けられている。貫通孔１２の直径Ｔ２は、挿入（嵌入）されるねじ４の頭部４ｂの直径Ｔ１よりも大きく形成されている。
【００１９】
図１や図４に示されるように、パレット１５の上面及び下面に存する二つの空間、すなわち板材１１と枠体１３で囲まれる空間には、それぞれ方形の蓋材１４が着脱自在に嵌め込まれるものである。
【符号の説明】
【００２０】
１０・・ねじ整列器
１１・・板材
１２・・貫通孔
１３・・枠体
１４・・蓋材
【図１】
2019172411.tif 000003
【図２】
2019172411.tif 000004
【図３】
2019172411.tif 000005
【図４】
2019172411.tif 000006
【図５】
2019172411.tif 000007
【図６】
2019172411.tif 000008
(57)【要約】      （修正有）【課題】情報システム及び原子力発電所においての不具合の定量化が計測できていないため、これを解決する手法を提供する。【解決手段】情報システム及び原子力発電所においての失敗未然策の防止にあたり、論理的に数理解析を行った研究となる。統計学の応用を行い、数理から実験値を計測する。また、失敗的要素を鑑みてそのスキーム化を行う。【選択図】なし【特許請求の範囲】
【請求項１】
自然科学の数理を応用し、情報システムにおける解決を統計上から解析出来る。
【請求項２】
自然科学の数理を応用し、原子力発電所の未然防止策を求める。
【発明の詳細な説明】
【技術分野】
【０００１】この度の発明は、システム不具合を未然防止することによる、数理解析を応用し、確実なワーキングを提唱するものである。
【技術背景】
【０００２】システム技術の予想不可能な領域があり、これに関し、数理モデルと簡素化ができていない点にある。
【発明の詳細】
【０００３】「情報システム開発と定形作業の未然防止策に関する研究」をご査収お願い致します。
【０００４】「原子力発電所に関する未然防止に関する研究」をご査収お願い致します。
【発明の効果】
【０００５】数理モデルを導入したことにより、数値解析が可能となる。また、簡素化における要素が今後のビジネスの進展に繋がる。
2019191135.tif 000002
2019191135.tif 000003
(57)【要約】      （修正有）【課題】原子力発電所においての不具合の定量化が計測できていないことが挙げられる。【解決手段】統計学の応用を行い、数理から実験値を計測する。また、失敗的要素を鑑みてそのスキーム化を行う。原子力発電所においての失敗未然策の防止にあたり論理的に数理解析を行った研究となる。【選択図】なし【特許請求の範囲】
【発明の詳細な説明】
2019191136.tif 000002
2019191136.tif 000003
【手続補正書】
【提出日】平成30年7月27日(2018.7.27)
【手続補正１】
【補正対象書類名】特許請求の範囲
【補正対象項目名】全文
【補正方法】追加
【補正の内容】
【特許請求の範囲】
【請求項１】
自然科学の数理を応用し、原子力発電所の未然防止策を求める。
【手続補正２】
【補正対象書類名】明細書
【補正対象項目名】全文
【補正方法】変更
【補正の内容】
【発明の詳細な説明】
【技術分野】
【０００１】この度の発明は、システム不具合を未然防止することによる、数理解析を応用し、確実なワーキングを提唱するものである。
【技術背景】
【０００２】システム技術の予想不可能な領域があり、これに関し、数理モデルと簡素化ができていない点にある。
【発明の詳細】
【０００３】「原子力発電所に関する未然防止に関する研究」をご査収お願い致します。
【発明の効果】
【０００４】数理モデルを導入したことにより、数値解析が可能となる。また、簡素化における要素が今後のビジネスの進展に繋がる。
(57)【要約】【課題】言語が異なる外国人と案内所や店でコミュニケーションをとる際に、通訳できる語学力や、スマートフォンの語学変換アプリなどがないと難しい。【解決手段】言語が異なる外国人が見てもわかりやすいよう、イベント会場・案内所・店舗・病院・役所などその場に応じて必要な情報を、名詞的なものばかりでなく、形容詞的な表現もわかりやすく表示した、文房具の下敷きのような扱いやすい仕様にあつらえたパネルを、指さすだけで伝えていく。【選択図】図１
2019191527.tif 000002
【特許請求の範囲】
【請求項１】
どの言語の外国人でもわかるように、様々な場所でそれぞれに必要な情報を、数字・アルファベット・絵・標識など名詞的なものをはじめ、大きさや値段・色など形容詞的な表現も簡潔に表示した、指さすだけで簡単にコミュニケーションがとれることを目的としたパネル。
【発明の詳細な説明】
【技術分野】
【０００１】本発明は言語の異なる外国人と、簡単にコミュニケーションをとるための道具に関する。
【発明の概要】
【発明が解決しようとする課題】
【０００２】言語の異なる外国人とのコミュニケーションにおいて、通訳できる語学力がなく、スマートフォンの翻訳アプリケーションソフトなどもない場合、少しの質問にも対応することがままならず、特に買い物や病院などでは伝えたいことがあっても言葉の意味の理解や、状態の表現が難しいことがある。【０００３】また、前述のコミュニケーションが可能な機械を使う装置は高価であり、駅の案内所など決まった場所にしか設置されていないものなどもある。
【課題を解決するための手段】
【０００４】本発明は、言語が異なる外国人が見てもわかりやすい簡潔な絵や標識などを表したパネルを様々な目的の多くの場所に常備し、指さすだけで簡単に誰でもコミュニケーションをとれるようにするものである。【０００５】絵や標識、数字・アルファベットなどの名詞的なものをはじめ、大きさ・価格・色などの形容詞的な表現も指さして伝わるようにし、しかも簡潔なデザインにする。【０００６】イベント会場や観光地をはじめ、役所・駅・店舗・宿・病院など、それぞれの場所に応じて必要な情報が絵を指さすことで外国人にも伝わるデザインで、多くの場所に常備できるよう扱いやすい仕様とし、コミュニケーションを簡単にとれるようにする。
【発明の効果】
【０００７】本発明の指さしパネルにより、大きな道具も不要で費用も安価にその場所に応じて、伝えたいことが伝わりやすくなる。
【図面の簡単な説明】
【０００８】
【図１】イベント会場付近での使用を想定した、指さしパネルの例
【図１】
2019191527.tif 000003
(57)【要約】      （修正有）【課題】小型化・軽量化の可能な防爆モータの提供。【解決手段】防爆モータ１０は、ハウジング１と蓋２の接合寸法Ｌ確保が、インロー形状による接合ではなく平面による接合でなされていることを、基本的な構成とする。ハウジング１の接合面と蓋２の接合面とはいずれも平面であり、これらが接合される。【選択図】図１
2019057997.tif 000002
【特許請求の範囲】
【請求項１】
防爆モータにおいて、ハウジングと蓋の接合寸法確保が、インロー形状による接合ではなく平面による接合でなされていることを特徴とする、防爆モータ。
【請求項２】
インロー形状による接合であれば軸方向に確保されるべき接合寸法Ｌが、軸直交方向に確保され、これにより全長が短縮されていることを特徴とする、請求項１に記載の防爆モータ。
【請求項３】
前記全長は２Ｌ短縮されていることを特徴とする、請求項２に記載の防爆モータ。
【請求項４】
防爆モータのハウジングと蓋の接合寸法確保が、インロー形状による接合ではなく平面による接合でなされていることを特徴とする、防爆モータ接合構造。
【発明の詳細な説明】
【技術分野】
【０００１】
本発明は防爆モータ、および防爆モータ接合構造に係り、特に、小型化・軽量化することのできる防爆モータ等に関するものである。
【背景技術】
【０００２】
ガス爆発や粉塵爆発の危険性のある状況において使用されるモータ、サーボモータには、スパーク等からの引火による爆発防止のための対策が取られている。かかる防爆モータでは、その空間体積によって決まる所定の接合寸法を備え必要がある。
【０００３】
図３は、従来の防爆モータの構成を示す側断面視の説明図である。また、
図４は、図３の防爆モータにおける接合方法を示す説明図である。これらに示すように従来の防爆モータ２１０では、ハウジング２１と蓋２２、２２とは各接合面２３、２４がインローにて接合することで、つまり、各接合面２３、２４が相互の凹凸部により係合することで、その嵌め合い寸法により必要な接合寸法Ｌが確保されている。
【０００４】
防爆モータについては従来、技術的な提案もなされている。たとえば後掲特許文献１には、耐圧防爆モータと外部接続用ケーブルとの接続の解除の容易化を図るため、モータケースの一端に着脱自在のエンドキャップを設け、固定用台座部と着脱自在のケーブル固定部とでケーブル引込み部を形成し、これらを介して外部接続用ケーブルを引き込むようにした構成が開示されている。
【先行技術文献】
【特許文献】
【０００５】
【特許文献１】特開平５−２１９６８１号公報「耐圧防爆モータ」
【発明の概要】
【発明が解決しようとする課題】
【０００６】
しかし、従来の防爆モータは、インローによる接合のために、全長が２Ｌ分（接合寸法Ｌが２箇所）長くならざるを得ない。これは、たとえばロボットなどのワークに用いるサーボモータを小型化・軽量化したり、ワーク自体の小型化・軽量化を図りたい場合には不利である。
【０００７】
そこで本発明が解決しようとする課題は、かかる従来技術の問題点をなくし、小型化・軽量化の可能な防爆モータを提供することである。
【課題を解決するための手段】
【０００８】
本願発明者は上記課題について検討した結果、インローによる接合寸法確保ではなく、平面による接合寸法確保を行うことによって解決できることを見出し、これに基づいて本発明を完成するに至った。すなわち、上記課題を解決するための手段として本願で特許請求される発明、もしくは少なくとも開示される発明は、以下の通りである。
【０００９】
〔１〕  防爆モータにおいて、ハウジングと蓋の接合寸法確保が、インロー形状による接合ではなく平面による接合でなされていることを特徴とする、防爆モータ。
〔２〕  インロー形状による接合であれば軸方向に確保されるべき接合寸法Ｌが、軸直交方向に確保され、これにより全長が短縮されていることを特徴とする、請求項１に記載の防爆モータ。
【００１０】
〔３〕  前記全長は２Ｌ短縮されていることを特徴とする、請求項２に記載の防爆モータ。
〔４〕  防爆モータのハウジングと蓋の接合寸法確保が、インロー形状による接合ではなく平面による接合でなされていることを特徴とする、防爆モータ接合構造。
【発明の効果】
【００１１】
本発明の防爆モータ、および防爆モータ接合構造は上述のように構成されるため、これらによれば、防爆モータの全長を短縮化でき、それにより小型化・軽量化することができる。さらに、材料費削減、製造工程の簡略化にもなる。そして、防爆モータ適用対象であるロボット等のワークの小型化・軽量化も実現することができる。
【図面の簡単な説明】
【００１２】
【図１】本発明防爆モータの構成を示す側断面視の説明図である。
【図２】図１の防爆モータにおける接合方法を示す説明図である。
【図３】従来の防爆モータの構成を示す側断面視の説明図である。
【図４】図３の防爆モータにおける接合方法を示す説明図である。
【発明を実施するための形態】
【００１３】
以下、図面により本発明を説明する。
図１は、本発明防爆モータの構成を示す側断面視の説明図である。また、
図２は、図１の防爆モータにおける接合方法を示す説明図である。これらに示すように本発明防爆モータ１０は、ハウジング１と蓋２、２の接合寸法Ｌ確保が、インロー形状による接合ではなく平面による接合でなされていることを、基本的な構成とする。すなわち、ハウジング１の接合面３と蓋２の接合面４とはいずれも平面であり、これらが接合される。
【００１４】
かかる構成により本発明防爆モータ１０では、空間体積による所定の接合寸法Ｌは、軸８方向ではなくこれに直交する方向において確保されることができ、接合部２箇所合計で２Ｌ分、モータ１０全体の長さを短縮することができる。つまり、従来のようなインロー形状による接合であれば軸８方向に確保されるべき嵌め合い寸法Ｌが、軸８直交方向に確保され、これによりモータ１０の全長を２Ｌ短縮することができる。
【００１５】
なお、防爆モータ１０のハウジング１と蓋２、２の接合寸法確保が、インロー形状による接合ではなく平面による接合でなされていることが特徴の防爆モータ接合構造も、本発明の範囲内である。
【産業上の利用可能性】
【００１６】
本発明の防爆モータ、および防爆モータ接合構造によれば、防爆モータの全長を短縮化でき、それにより小型化・軽量化することができ、適用対象であるロボット等のワークの小型化・軽量化も実現することができる。したがって、防爆モータ製造分野、ロボット等の防爆モータ使用分野、および関連する全分野において、産業上利用性が高い発明である。
【符号の説明】
【００１７】
１…ハウジング
２…蓋
３、４…接合面
５…ロータ
６…ステータ
８…軸
１０…防爆モータ
２１…ハウジング
２２…蓋
２３、２４…接合面
２５…ロータ
２６…ステータ
２８…軸
２１０…防爆モータ
Ｌ…接合寸法
【図１】
2019057997.tif 000003
【図２】
2019057997.tif 000004
【図３】
2019057997.tif 000005
【図４】
2019057997.tif 000006